(57)【要約】      （修正有）【課題】接続状態をより強固に固定することのできるコネクタを提供する。【解決手段】コネクタ本体部２４０と、コネクタ本体部の側面に設けられたランヤード部及びラッチ部とを有し、ランヤード部は他のコネクタとの接続方向に向かって、第１の屈曲部２５３、直線部２５５、第２の屈曲部２５６が順に形成されており、ラッチ部は第１の屈曲部２６２、直線部２６３、第２の屈曲部２６５が順に形成されており、ランヤード部における第２の屈曲部２５６には第２の開口部を有し、ラッチ部の第２の屈曲部２６５は、第２の開口部内に入り込んでおり、ランヤード部における直線部２５５よりも、ラッチ部における直線部２６３は外側に位置しており、直線部２６３には、コネクタ本体部の外側方向に出っ張った形状で形成されている他のコネクタとの接続状態を固定するためのフック２６４が設けられている。【選択図】図５
2012142193.tif 000002
【特許請求の範囲】
【請求項１】
他のコネクタと接続されるコネクタ本体部と、
前記コネクタ本体部の側面に設けられたランヤード部及びラッチ部と、
を有し、前記ランヤード部は、前記他のコネクタとの接続方向に向かって、第１の屈曲部、直線部、第２の屈曲部が順に形成されており、
前記ラッチ部は、前記他のコネクタとの接続方向に向かって、第１の屈曲部、第１の直線部、第２の屈曲部が順に形成されており、
前記ランヤード部における第１の屈曲部には第１の開口部を有し、前記ラッチ部の第１の屈曲部は、前記第１の開口部内に入り込んでおり、
前記ランヤード部における第２の屈曲部には第２の開口部を有し、前記ラッチ部の第２の屈曲部は、前記第２の開口部内に入り込んでおり、
前記ランヤード部における前記直線部よりも、前記ラッチ部における前記第１の直線部は外側に位置しており、
前記第１の直線部には、前記コネクタ本体部の外側方向に出っ張った形状で形成されている前記他のコネクタとの接続状態を固定するためのフックが設けられていることを特徴とするコネクタ。
【請求項２】
前記コネクタ本体部と前記他のコネクタとの接続方向に対し、前記ランヤード部を平行に動かすことにより、前記他のコネクタとの接続状態の固定、または、前記接続状態の固定の解除が行なわれるものであることを特徴とする請求項１に記載のコネクタ。
【請求項３】
前記ランヤード部における第１の屈曲部、直線部、第２の屈曲部は、前記コネクタ本体部の両側に設けられており、前記ランヤード部における前記第１の屈曲部が設けられている側において、ランヤード連結部により連結されていることを特徴とする請求項１または２に記載のコネクタ。
【請求項４】
前記ランヤード部は、前記第２の開口部内に突起部を有しており、
前記ラッチ部は、前記第２の屈曲部よりも、前記他のコネクタとの接続方向側に、第２の直線部を有しており、
前記ランヤード部における前記突起部と、前記ラッチ部の前記第２の直線部とが接触することにより、前記他のコネクタとの接続状態が固定されるものであることを特徴とする請求項１から３のいずれかに記載のコネクタ。
【請求項５】
前記ラッチ部は、前記第２の屈曲部よりも、前記他のコネクタとの接続方向側に、第２の直線部を有しており、
前記ラッチ部の前記第２の直線部が、前記ランヤード部の前記直線部の外側に位置することにより、前記他のコネクタとの接続状態が固定されるものであることを特徴とする請求項１から３のいずれかに記載のコネクタ。
【請求項６】
前記ランヤード部の前記直線部の内側に前記コネクタ本体部が接触し、前記ランヤード部を支持することにより、前記フックを固定することを特徴とする請求項１から５のいずれかに記載のコネクタ。
【請求項７】
前記コネクタ本体部の側面には、前記ラッチ部及び前記ランヤード部の一部が設置される溝部が設けられており、
前記他のコネクタとの接続状態が固定されていない状態において、前記ラッチ部における前記第２の直線部が入ることのできる前記溝部よりも幅の広い溝幅広領域が前記溝部に連通して設けられていることを特徴とする請求項４から６のいずれかに記載のコネクタ。
【請求項８】
前記ランヤード部は、前記第２の屈曲部よりも、前記他のコネクタとの接続方向側に終端部を有しており、
前記終端部には、凹凸が形成されていることを特徴とする請求項１から７のいずれかに記載のコネクタ。
【請求項９】
前記ランヤード部及び前記ラッチ部は金属材料により形成されていることを特徴とする請求項１から８のいずれかに記載のコネクタ。
【請求項１０】
前記他のコネクタには、前記フックに対応する開口部が設けられており、
前記接続状態が固定される場合には、前記フックは前記他のコネクタにおける前記開口部に入り込んでいることを特徴とする請求項１から９のいずれかに記載のコネクタ。
【発明の詳細な説明】
【技術分野】
【０００１】
本発明は、コネクタに関する。
【背景技術】
【０００２】
電子装置及び電子機器等を電気的に接続し、電気信号等の伝達を行なうための接続部材としてコネクタが用いられている。このようなコネクタとしては、用途に応じて様々な種類のものがあり、各々の用途に応じて使い分けられている。
【０００３】
ところで、このようなコネクタでは、一方のコネクタと他方のコネクタとの接続、例えば、ジャックコネクタとプラグコネクタとの接続において、このコネクタ接続を円滑にはずすことができるとともに、ワイヤが誤って引っ張られた場合等には、ジャックコネクタとプラグコネクタとの接続がはずれない構造とすることにより、コネクタ接続の信頼性を向上させたものがある。
【先行技術文献】
【特許文献】
【０００４】
【特許文献１】特許第３０７８１４７号公報
【発明の概要】
【発明が解決しようとする課題】
【０００５】
このように、ワイヤが誤って引っ張られた場合等において、ジャックコネクタとプラグコネクタとの接続がはずれないようにするためには、ジャックコネクタ又はプラグコネクタのどちらか一方に爪を設け、他方に爪に対応する凹部を設け、ジャックコネクタとプラグコネクタとが接続されている状態において、凹部に爪が引っ掛かる構造のものが開示されている。
【０００６】
しかしながら、このような構造において、ジャックコネクタ又はプラグコネクタのどちらか一方が強く引っ張られた場合には、爪にすべての力がかかるため、爪が変形等してしまい、ジャックコネクタとプラグコネクタとの接続がはずれてしまう場合がある。
【０００７】
本発明は、上記に鑑みてなされたものであり、一方のコネクタと他方のコネクタとの接続をはずしたいときには、容易にはずすことが可能であるとともに、一方のコネクタと他方のコネクタとが接続されている状態においては、意図することなく接続がはずれることのない、信頼性の高い接続を維持することのできるコネクタを提供することを目的とするものである。
【課題を解決するための手段】
【０００８】
本発明は、他のコネクタと接続されるコネクタ本体部と、前記コネクタ本体部の側面に設けられたランヤード部及びラッチ部と、を有し、前記ランヤード部は、前記他のコネクタとの接続方向に向かって、第１の屈曲部、直線部、第２の屈曲部が順に形成されており、前記ラッチ部は、前記他のコネクタとの接続方向に向かって、第１の屈曲部、第１の直線部、第２の屈曲部が順に形成されており、前記ランヤード部における第１の屈曲部には第１の開口部を有し、前記ラッチ部の第１の屈曲部は、前記第１の開口部内に入り込んでおり、前記ランヤード部における第２の屈曲部には第２の開口部を有し、前記ラッチ部の第２の屈曲部は、前記第２の開口部内に入り込んでおり、前記ランヤード部における前記直線部よりも、前記ラッチ部における前記第１の直線部は外側に位置しており、前記第１の直線部には、前記コネクタ本体部の外側方向に出っ張った形状で形成されている前記他のコネクタとの接続状態を固定するためのフックが設けられていることを特徴とする。
【０００９】
また、本発明は、前記コネクタ本体部と前記他のコネクタとの接続方向に対し、前記ランヤード部を平行に動かすことにより、前記他のコネクタとの接続状態の固定、または、前記接続状態の固定の解除が行なわれるものであることを特徴とする。
【００１０】
また、本発明は、前記ランヤード部における第１の屈曲部、直線部、第２の屈曲部は、前記コネクタ本体部の両側に設けられており、前記ランヤード部における前記第１の屈曲部が設けられている側において、ランヤード連結部により連結されていることを特徴とする。
【００１１】
また、本発明は、前記ランヤード部は、前記第２の開口部内に突起部を有しており、前記ラッチ部は、前記第２の屈曲部よりも、前記他のコネクタとの接続方向側に、第２の直線部を有しており、前記ランヤード部における前記突起部と、前記ラッチ部の前記第２の直線部とが接触することにより、前記他のコネクタとの接続状態が固定されるものであることを特徴とする。
【００１２】
また、本発明は、前記ラッチ部は、前記第２の屈曲部よりも、前記他のコネクタとの接続方向側に、第２の直線部を有しており、前記ラッチ部の前記第２の直線部が、前記ランヤード部の前記直線部の外側に位置することにより、前記他のコネクタとの接続状態が固定されるものであることを特徴とする。
【００１３】
また、本発明は、前記ランヤード部の前記直線部の内側に前記コネクタ本体部が接触し、前記ランヤード部を支持することにより、前記フックを固定することを特徴とする。
【００１４】
また、本発明は、前記コネクタ本体部の側面には、前記ラッチ部及び前記ランヤード部の一部が設置される溝部が設けられており、前記他のコネクタとの接続状態が固定されていない状態において、前記ラッチ部における前記第２の直線部が入ることのできる前記溝部よりも幅の広い溝幅広領域が前記溝部に連通して設けられていることを特徴とする。
【００１５】
また、本発明は、前記ランヤード部は、前記第２の屈曲部よりも、前記他のコネクタとの接続方向側に終端部を有しており、前記終端部には、凹凸が形成されていることを特徴とする。
【００１６】
また、本発明は、前記ランヤード部及び前記ラッチ部は金属材料により形成されていることを特徴とする。
【００１７】
また、本発明は、前記他のコネクタには、前記フックに対応する開口部が設けられており、前記接続状態が固定される場合には、前記フックは前記他のコネクタにおける前記開口部に入り込んでいることを特徴とする。
【発明の効果】
【００１８】
本発明によれば、一方のコネクタと他方のコネクタとの接続をはずしたいときには、容易にはずすことが可能であり、また、一方のコネクタと他方のコネクタとが接続されている状態においては、意図することなく接続がはずれることのない、信頼性の高い接続を維持することのできるコネクタを提供することができる。
【図面の簡単な説明】
【００１９】
【図１】第１の実施の形態におけるコネクタの説明図
【図２】第１の実施の形態におけるコネクタの接続状態を示す上面図
【図３】第１の実施の形態におけるコネクタの斜視図
【図４】第１の実施の形態におけるコネクタの側面図
【図５】第１の実施の形態におけるコネクタの下カバーをはずした状態の上面図
【図６】第１の実施の形態におけるコネクタの断面図
【図７】第１の実施の形態におけるコネクタのランヤード部とラッチ部の斜視図
【図８】第１の実施の形態におけるコネクタの接続状態の固定方法の説明図（１）
【図９】第１の実施の形態におけるコネクタの接続状態の固定方法の説明図（２）
【図１０】第１の実施の形態におけるコネクタの接続状態の固定方法の説明図（３）
【図１１】第２の実施の形態におけるコネクタのランヤード部の上面図
【図１２】第２の実施の形態におけるコネクタのランヤード部の斜視図
【図１３】第２の実施の形態におけるコネクタのランヤード部とラッチ部の斜視図（１）
【図１４】第２の実施の形態におけるコネクタのランヤード部とラッチ部の斜視図（２）
【図１５】第２の実施の形態におけるコネクタの第２のコネクタ本体部の上カバーの斜視図
【図１６】第２の実施の形態におけるコネクタの第２のコネクタ本体部の上カバーの要部上面図
【図１７】第２の実施の形態におけるコネクタの下カバーをはずした状態の斜視図
【図１８】第２の実施の形態におけるコネクタの下カバーをはずした状態の上面図
【図１９】第２の実施の形態におけるコネクタが固定されている状態において下カバーをはずした状態の斜視図
【図２０】第２の実施の形態におけるコネクタが固定されている状態において下カバーをはずした状態の上面図
【図２１】第２の実施の形態におけるコネクタが固定されている状態において下カバーをはずした状態の断面図
【図２２】第２の実施の形態におけるコネクタの固定が解除されている状態において下カバーをはずした状態の斜視図
【図２３】第２の実施の形態におけるコネクタの固定が解除されている状態において下カバーをはずした状態の上面図
【図２４】第２の実施の形態におけるコネクタの固定が解除されている状態において下カバーをはずした状態の断面図
【発明を実施するための形態】
【００２０】
本発明を実施するための形態について、以下に説明する。尚、同じ部材等については、同一の符号を付して説明を省略する。
【００２１】
〔第１の実施の形態〕
（コネクタの構造）
図１及び図２に基づき本実施の形態におけるコネクタについて説明する。図１及び図２に示すように本実施の形態におけるコネクタは、第２のコネクタ２００であり、基板１７０に固定される第１のコネクタ（他のコネクタ）１００における第１のコネクタ本体部１１０と接続されることにより、電気的に接続をすることができ、高速な電気信号を伝達することができるものである。尚、図２は、第１のコネクタ１００と第２のコネクタ２００とが接続されている状態の上面図である。
【００２２】
第１のコネクタ１００は、基板１７０に接続されている第１のコネクタ本体部１１０と、第１のコネクタ本体部１１０と第２のコネクタ２００とが接続された状態において、第１のコネクタ本体部１１０及び第２のコネクタ２００の側面の略全体を覆うことのできるケージ部１２０と、ケージ部１２０に取り付けられる押え部１３０とを有している。
【００２３】
第２のコネクタ２００は、略直方体状に形成されており、第１のコネクタ本体部１１０との接続面と反対側には、ケーブル２１０と接続されており、上面部及び底面部には放熱部２２０及び２３０が設けられている。
【００２４】
第１のコネクタ本体部１１０には、ハウジング内において第２のコネクタ２００に設けられた接続端子と電気的に接続される接続端子が設けられている。第１のコネクタ本体部１１０は、略直方体状に形成されており、６面のうち底面となる１面において基板１７０と接続されている。具体的には、第１のコネクタ本体部１１０の底面となる１面に設けられた不図示の信号端子及びＧＮＤ（接地）端子が、基板１７０に設けられた所定の穴に差込まれて、半田付け等により接続されている。
【００２５】
第１のコネクタ本体部１１０は、基板１７０と接続されている面を底面として、４つの側面のうちいずれか一つの側面において、第２のコネクタ２００と接続されている。このため、第２のコネクタ２００は基板１７０に対し略平行に移動することにより、第１のコネクタ本体部１１０と接続される。
【００２６】
ケージ部１２０はＥＭＩ対策のため設けられているものであり、四角筒状に形成されており、第１のコネクタ本体部１１０に取り付けられている。ケージ部１２０はアルミニウム、亜鉛等の合金のダイキャストにより形成されており、十分な厚みを有しているため、容易に変形することはなく、また、第１のコネクタ本体部１１０と第２のコネクタ２００とが接続している状態でぐらつくことはない。ケージ部１２０は、第１のコネクタ本体部１１０と第２のコネクタ２００とが接続された状態で側面の略全体が覆われるような形状で形成されている。また、ケージ部１２０には、第１のコネクタ本体部１１０が第２のコネクタ２００と接続された状態で、第２のコネクタ２００の放熱部２２０に対応する部分、即ち、上面部分に開口部１２１が設けられており、開口部１２１が設けられている部分の側面には、後述する押え部１３０を固定するための複数の突起部１２２が設けられている。また、開口部１２１の形成されている面及び隣接する２つの側面には、第１のコネクタ本体部１１０と第２のコネクタ２００との接続方向に長く伸びる複数の溝部１２３が設けられている。更に、後述するように、第１のコネクタ１００と第２のコネクタ２００との接続がはずれないように固定するための、開口部１２４が両側に設けられている。
【００２７】
押え部１３０は金属板を加工することにより形成されており、金属板を折曲げることにより、３面を有する形状が形成されている。押え部１３０は、第１のコネクタ本体部１１０と第２のコネクタ２００とが接続された状態で、第２のコネクタ２００の放熱部２２０から放熱される熱を放出するための複数の放熱穴１３１が設けられている。また、押え部１３０には、ケージ部１２０の複数の突起部１２２に対応する位置に設けられた複数の固定穴１３２が設けられており、ケージ部１２０の各々の突起部１２２が、押え部１３０の対応する各々の固定穴１３２に入り込むことにより、押え部１３０とケージ部１２０とは固定される。
【００２８】
押え部１３０には、ケージ部１２０の溝部１２３に対応する位置に複数のバネ部１３３が設けられており、押え部１３０とケージ部１２０とが固定され第１のコネクタ本体部１１０に取り付けられている状態で、第２のコネクタ２００と第１のコネクタ１００とを接続することにより、バネ部１３３を第２のコネクタ２００の外側と接触させることができる。尚、押え部１３０は接地されているため、この接触により第２のコネクタ２００の外側は接地電位となる。また、押え部１３０には、基板１７０と接続される側に複数のプレスフィット１３４が設けられており、基板１７０に設けられた対応する穴１７１に嵌合させて固定されている。
【００２９】
（第２のコネクタ２００のロック機構）
次に、図３から図６に基づき、本実施の形態における第２のコネクタ２００について説明する。尚、図３は、本実施の形態における第２のコネクタ２００の斜視図であり、図４は、側面図であり、図５は、下カバーをはずした状態の上面図である。図６は、図５における一点鎖線５Ａ−５Ｂにおいて切断した第２のコネクタ２００の要部断面図である。第２のコネクタ２００は、樹脂材料または金属材料等により形成された第２のコネクタ本体部２４０を有しており、第２のコネクタ本体部２４０の接続部２４１より、第１のコネクタ１００と接続される。第１のコネクタ１００と第２のコネクタ２００とを接続する際には、第１のコネクタ１００に対し第２のコネクタ２００を矢印Ａに示す方向に相対的に移動させることにより接続される。従って、本実施の形態では、矢印Ａに示す方向をコネクタ接続方向とも称する。尚、図６に示されるように、第２のコネクタ本体部２４０は、上カバー２７１と下カバー２７２とを有しており、後述するラッチ部２６０は、上カバー２７１と下カバー２７２とにより、上下方向における動きが制限されている。
【００３０】
第２のコネクタ２００におけるロック機構としては、コの字状に形成されたランヤード部２５０と２つのラッチ部２６０を有している。ランヤード部２５０は、矢印Ａに示されるコネクタ接続方向に延びる２本の部材をコネクタ接続方向に略垂直方向に延びるランヤード連結部２５１により連結された構造となっている。図７に示されるように、ランヤード部２５０におけるコネクタ接続方向に延びる２本の部材は、ランヤード連結部２５１の側より矢印Ａに示されるコネクタ接続方向に向かって、第１の直線部２５２、第１の屈曲部２５３、第２の直線部２５５、第２の屈曲部２５６、突起部２５８、終端部２５９の順に形成されている。
【００３１】
第１の直線部２５２は、第２のコネクタ本体部２４０の外側となる位置において、矢印Ａに示されるコネクタ接続方向に沿って直線状に形成されている。第１の屈曲部２５３は、第２のコネクタ本体部２４０の内側方向に曲げられている部分であり、第１の開口部２５４を有している。第２の直線部２５５は、矢印Ａに示されるコネクタ接続方向に沿って直線状に形成されている。第２の屈曲部２５６は、第２のコネクタ本体部２４０の外側方向に曲げられている部分であり、第２の開口部２５７を有しており、第２の開口部２５７の一部には、矢印Ａに示されるコネクタ接続方向に沿って直線状に形成された突起部２５８が形成されている。終端部２５９は、矢印Ａに示されるコネクタ接続方向に沿って直線状に形成されている。
【００３２】
また、ラッチ部２６０は、矢印Ａに示されるコネクタ接続方向に沿って、一方の端より他方の端に向かって、固定部２６１、第１の屈曲部２６２、第１の直線部２６３、第２の屈曲部２６５、第２の直線部２６６の順に形成されている。ラッチ部２６０は、ラッチ部２６０の一方の端部に形成された固定部２６１において、第２のコネクタ本体部２４０に固定されており、このため略垂直に曲げられた形状で形成されている。第１の屈曲部２６２は、第２のコネクタ本体部２４０の外側方向に曲げられている部分であり、ランヤード部２５０における第１の開口部２５４内に入ることができる太さで形成されている。第１の直線部２６３は、矢印Ａに示されるコネクタ接続方向に沿って直線状に形成されており、第２のコネクタ本体部２４０の外側方向に向かって出っ張った形状のフック２６４が設けられている。第２の屈曲部２６５は、第２のコネクタ本体部２４０の内側方向に曲げられている部分であり、ランヤード部２５０における第２の開口部２５７内に入ることができる太さで形成されている。第２の直線部２６６は、矢印Ａに示されるコネクタ接続方向に沿って直線状に形成されている。
【００３３】
ランヤード部２５０とラッチ部２６０は、ランヤード部２５０における第１の開口部２５４にラッチ部２６０の第１の屈曲部２６２が入り込み、ランヤード部２５０における第２の開口部２５７にラッチ部２６０の第２の屈曲部２６５が入り込むように組み立てられる。よって、ラッチ部２６０の第１の屈曲部２６２は、ランヤード部２５０における第１の開口部２５４内を移動することが可能であり、ラッチ部２６０の第２の屈曲部２６５は、ランヤード部２５０における第２の開口部２５７内を移動することが可能である。また、この状態では、ラッチ部２６０における固定部２６１及び、第２の直線部２６６は、ランヤード部２５０の内側となり、ラッチ部２６０における第１の直線部２６３は、ランヤード部２５０の外側となる。
【００３４】
第２のコネクタ本体部２４０の側面の両側には、矢印Ａに示されるコネクタ接続方向に沿って形成された溝部２４２が設けられており、ランヤード部２５０の一部及びラッチ部２６０は、溝部２４２内に設置されている。即ち、第２のコネクタ本体部２４０の内側の内壁２４３と第２のコネクタ本体部２４０の外側の外壁２４４とに囲まれた領域により、溝部２４２が形成される。
【００３５】
ランヤード部２５０の一部及びラッチ部２６０は、溝部２４２内に設置されており、接続がロックされている状態では、内壁２４３に、ランヤード部２５０の第２の直線部２５５が接し、外壁２４４の内側に、ラッチ部２６０の第１の直線部２６３が接するように設置されている。また、外壁２４４には、ラッチ部２６０の第１の直線部２６３に設けられたフック２６４が外壁２４４の外側に出っ張るように、開口部２４５が設けられている。このフック２６４は、第１のコネクタ１００と第２のコネクタ２００が接続された状態において、図１等に示される第１のコネクタ１００における開口部１２４に第２のコネクタ２００におけるフック２６４の先端が入り込むことにより、第１のコネクタ１００と第２のコネクタ２００との接続状態を固定（ロック）することができるように形成されている。尚、図３から図７は、第１のコネクタ１００と第２のコネクタ２００との接続状態が固定されている状態を示すものである。
【００３６】
（ロックの解除）
次に、図８から図１０に基づき第１のコネクタ１００と第２のコネクタ２００との接続が固定（ロック）されている状態から解除（ロック解除）する方法について説明する。具体的には、ランヤード部２５０を第２のコネクタ本体部２４０に対し、矢印Ｂに示す方向に相対的に動かすことにより行なわれる。図８は、第１のコネクタ１００と第２のコネクタ２００との接続が固定されている状態を示すものであり、図１０は、第１のコネクタ１００と第２のコネクタ２００との接続の固定が解除されている状態を示すものであり、図９は、図８と図１０の途中の段階を示すものである。
【００３７】
図８に示されるように、第１のコネクタ１００と第２のコネクタ２００との接続が固定されている状態では、ランヤード部２５０の第２の直線部２５５は、第２のコネクタ本体部２４０の溝部２４２の内壁２４３と接触し、ラッチ部２６０の第１の直線部２６３は、第２のコネクタ本体部２４０の溝部２４２の外壁２４４と接触し、ランヤード部２５０の第２の直線部２５５の外側に、ラッチ部２６０の第２の直線部２６６が接触しており、ラッチ部２６０のフック２６４は、開口部２４５より第２のコネクタ本体部２４０の外側に出っ張った状態となっており、第１のコネクタ１００のケージ部１２０に設けられた開口部１２４にフック２６４が入り込んだ状態となっている。この状態において突起部２５８の先端がコネクタ本体部２４０におけるコネクタ本体の内側２４８に接触することにより、第２の直線部２６６を介しラッチ部２６０を強固に支持し、ロック状態となる。従って、この状態においては、第１のコネクタ１００と第２のコネクタ２００との接続状態が固定されている。
【００３８】
この後、矢印Ｂに示す方向にランヤード部２５０を移動させることにより、図９に示すように、ラッチ部２６０の第１の屈曲部２６２は、ランヤード部２５０における第１の開口部２５４内を移動し、ラッチ部２６０の第２の屈曲部２６５は、ランヤード部２５０における第２の開口部２５７内を移動し、ランヤード部２５０の突起部２５８は、ラッチ部２６０の第２の直線部２６６の端部と接触した状態となる。この状態においては、まだ、ラッチ部２６０におけるフック２６４は、開口部２４５より第２のコネクタ本体部２４０の外側に出っ張った状態となっており、第１のコネクタ１００のケージ部１２０に設けられた開口部１２４にフック２６４が入り込んでいるため、第１のコネクタ１００と第２のコネクタ２００との接続が固定されている状態が維持される。
【００３９】
更に、この後、矢印Ｂに示す方向にランヤード部２５０を移動させることにより、図１０に示すように、ラッチ部２６０の第１の屈曲部２６２は、ランヤード部２５０における第１の開口部２５４内を移動し、ラッチ部２６０の第２の屈曲部２６５は、ランヤード部２５０における第２の開口部２５７内をランヤード部２５０の突起部２５８の端部に接触しながら移動し、やがて、ラッチ部２６０の第２の直線部２６６は、第２のコネクタ本体部２４０に設けられた溝幅広領域２４６に入り込んだ状態となる。この状態においては、ラッチ部２６０におけるフック２６４は、溝部２４２内部に入り込むため、第２のコネクタ本体部２４０の外壁２４４の外側よりも内側、または、外壁２４４の外側と同じ位置までフック２６４の先端が入り込む。これにより、第１のコネクタ１００のケージ部１２０に設けられた開口部１２４から、フック２６４がはずれ、第１のコネクタ１００と第２のコネクタ２００との接続状態の固定が解除される。
【００４０】
（ロック）
次に、図８から図１０に基づき第１のコネクタ１００と第２のコネクタ２００との接続状態を固定（ロック）する方法について説明する。具体的には、矢印Ｃに示す方向に、ランヤード部２５０を第２のコネクタ本体部２４０に対し、相対的に動かすことにより行なう。
【００４１】
図１０に示すように、第１のコネクタ１００と第２のコネクタ２００とが接続された直後においては、接続状態が固定（ロック）されていないため、ラッチ部２６０の第２の直線部２６６は、第２のコネクタ本体部２４０に設けられた溝幅広領域２４６に入り込んだ状態となっている。この状態においては、ラッチ部２６０におけるフック２６４は、溝部２４２内部に入り込み、第２のコネクタ本体部２４０の外壁２４４の外側よりも内側、または、外側と同じ位置までフック２６４の先端が入り込んだ状態となっている。
【００４２】
この後、矢印Ｃに示す方向にランヤード部２５０を移動させることにより、図９に示すように、ラッチ部２６０の第１の屈曲部２６２は、ランヤード部２５０における第１の開口部２５４内を移動し、ラッチ部２６０の第２の屈曲部２６５は、ランヤード部２５０における第２の開口部２５７内を移動し、ラッチ部２６０の第２の屈曲部２６５は、ランヤード部２５０における突起部２５８の端部と接触し、第２の屈曲部２６５に沿って、ラッチ部２６０の第２の直線部２６６が持ち上げられ、第２のコネクタ本体部２４０の外側方向に移動し、ランヤード部２５０の終端部２５９とラッチ部２６０の第２の直線部２６６とが接触した状態となる。この状態においては、ランヤード部２５０の第２の直線部２５５は、第２のコネクタ本体部２４０の溝部２４２の内壁２４３と接触し、ラッチ部２６０の第１の直線部２６３は、第２のコネクタ本体部２４０の溝部２４２の外壁２４４と接触し、ラッチ部２６０におけるフック２６４は、第２のコネクタ本体部２４０の外側に出っ張った状態となり、第１のコネクタ１００のケージ部１２０に設けられた開口部１２４にフック２６４が入り込むため、第１のコネクタ１００と第２のコネクタ２００との接続状態は固定される。
【００４３】
更に、この後、矢印Ｃに示す方向にランヤード部２５０を移動させることにより、図８に示されるように、ランヤード部２５０の第２の直線部２５５の外側に、ラッチ部２６０の第２の直線部２６６が接触した状態となり、ラッチ部２６０のフック２６４は、第２のコネクタ本体部２４０の外側に出っ張った状態となる。この状態においては、第１のコネクタ１００のケージ部１２０に設けられた開口部１２４にフック２６４が入り込んでいるため、第１のコネクタ１００と第２のコネクタ２００との接続が固定されている状態が維持されるとともに、より強固に接続状態を固定することができる。
【００４４】
本実施の形態では、第１のコネクタ１００と第２のコネクタ２００との接続状態を固定する際、力が加えられる位置であるランヤード連結部２５１と、フック２６４を移動させるために作用する位置であるラッチ部２６０の第２の屈曲部２６５及びランヤード部２５０の突起部２５８との間にフック２６４が位置するため、第１のコネクタ１００と第２のコネクタ２００との接続状態をより強固に固定することができる。即ち、フック２６４がランヤード部２５０またはラッチ部２６０の端部に形成されていないため、フック２６４が容易に曲げられることはない。また、図８に示すように、ラッチ部２６０の第２の直線部２６６がランヤード部２５０の第２の直線部２５５の内側に位置するまで移動させることにより、接続状態をより強固に固定することができる。
【００４５】
尚、ランヤード部２５０及びラッチ部２６０は、金属材料又は樹脂材料等により形成することが可能であるが、バネ性が高く、薄く形成することのできる金属材料により形成されていることが好ましい。
【００４６】
〔第２の実施の形態〕
次に、第２の実施の形態について説明する。本実施の形態における第２のコネクタ２００ａは、ロック時におけるクリック感を出すため、第１の実施の形態におけるランヤード部２５０の終端部を凹凸部２５９ａとした形状のものであり、第２のコネクタ本体部２４０ａにおいて、この凹凸部２５９ａに対応する部分には、凹凸部２４７ａが設けられている構造のものである、このような構造とすることにより、第１のコネクタ１００と第２のコネクタ２００ａとの接続状態が固定（ロック）された場合には、ランヤード部２５０ａの凹凸部２５９ａと、第２のコネクタ２００ａの凹凸部２４７ａとが接触し、凹凸部２５９ａと凹凸部２４７ａとの接触により生じる振動等により、ロックされていることを感覚的に確認することができるものである。
【００４７】
尚、図１１は、ランヤード部２５０ａの上面図であり、図１２は、裏面側からみた斜視図である。図１３は、ランヤード部２５０ａ及びラッチ部２６０が組み立てられた状態の斜視図であり、図１４は、ランヤード部２５０ａ及びラッチ部２６０が分解された状態の斜視図である。図１５は、ランヤード部２５０ａ及びラッチ部２６０が組み込まれる前の状態の第２のコネクタ本体部２４０ａの一部（上カバー）を示す斜視図であり、図１６は、ランヤード部２５０ａ及びラッチ部２６０が組み込まれる前の状態の第２のコネクタ本体部２４０ａの一部（上カバー）の要部上面図である。図１７は、ランヤード部２５０ａ及びラッチ部２６０が組み込まれた状態の第２のコネクタ本体部２４０ａの一部を示す斜視図であり、図１８は、上面図である。
【００４８】
また、図１９から図２１は、第１のコネクタ１００と第２のコネクタ２００との接続が固定（ロック）されている状態を示すものであり、図１９は、下カバーをはずした状態の斜視図であり、図２０は、上面図であり、図２１は、図２０における一点鎖線２０Ａ−２０Ｂにおいて切断された断面図である。
【００４９】
また、図２２から図２４は、第１のコネクタ１００と第２のコネクタ２００との接続の固定が解除（ロックが解除）されている状態を示すものであり、図２２は、下カバーをはずした状態の斜視図であり、図２３は、上面図であり、図２４は、図２３における一点鎖線２３Ａ−２３Ｂにおいて切断された断面図である。
【００５０】
本実施の形態におけるコネクタについては、第１の実施の形態におけるコネクタと同様に、他のコネクタとの接続状態を固定することができる。
【００５１】
尚、上記以外の内容については、第１の実施の形態と同様である。
【００５２】
以上、本発明の実施に係る形態について説明したが、上記内容は、発明の内容を限定するものではない。
【符号の説明】
【００５３】
１００      第１のコネクタ
１１０      第１のコネクタ本体部
１２０      ケージ部
１２１      開口部
１２２      突起部
１２３      溝部
１３０      押え部
１３１      放熱穴
１３２      固定穴
１３３      バネ部
１３４      プレスフィット
１７０      基板
１７１      穴
２００      第２のコネクタ
２１０      ケーブル
２２０      放熱部
２３０      放熱部
２４０      第２のコネクタ本体部
２４１      接続部
２４２      溝部
２４３      内壁
２４４      外壁
２４５      開口部
２４６      溝幅広領域
２５０      ランヤード部
２５１      ランヤード連結部
２５２      第１の直線部
２５３      第１の屈曲部
２５４      第１の開口部
２５５      第２の直線部
２５６      第２の屈曲部
２５７      第２の開口部
２５８      突起部
２５９      終端部
２６０      ラッチ部
２６１      固定部
２６２      第１の屈曲部
２６３      第１の直線部
２６４      フック
２６５      第２の屈曲部
２６６      第２の直線部
【図１】
2012142193.tif 000003
【図２】
2012142193.tif 000004
【図３】
2012142193.tif 000005
【図４】
2012142193.tif 000006
【図５】
2012142193.tif 000007
【図６】
2012142193.tif 000008
【図７】
2012142193.tif 000009
【図８】
2012142193.tif 000010
【図９】
2012142193.tif 000011
【図１０】
2012142193.tif 000012
【図１１】
2012142193.tif 000013
【図１２】
2012142193.tif 000014
【図１３】
2012142193.tif 000015
【図１４】
2012142193.tif 000016
【図１５】
2012142193.tif 000017
【図１６】
2012142193.tif 000018
【図１７】
2012142193.tif 000019
【図１８】
2012142193.tif 000020
【図１９】
2012142193.tif 000021
【図２０】
2012142193.tif 000022
【図２１】
2012142193.tif 000023
【図２２】
2012142193.tif 000024
【図２３】
2012142193.tif 000025
【図２４】
2012142193.tif 000026